(57)【要約】【課題】機器内のメモリにアドレス情報を保有してメモリオーバを引き起こすことなく、個人アドレス帳の情報を簡単に使用することができるようにした画像通信装置を提供すること目的とする。【解決手段】画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、前記リムーバブルメディアアクセス手段に前記リムーバブルメディアが装着されているとき、当該リムーバブルメディアに記憶されている宛先情報を参照して、前記画像通信機能の送信動作を行うようにした。【選択図】        図１
2006352228.tif 000002
【特許請求の範囲】
【請求項１】
画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、
前記リムーバブルメディアアクセス手段に前記リムーバブルメディアが装着されているとき、当該リムーバブルメディアに記憶されている宛先情報を参照して、前記画像通信機能の送信動作を行うことを特徴とする画像通信装置。
【請求項２】
画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、
前記リムーバブルメディアアクセス手段に前記リムーバブルメディアが装着されているとき、当該リムーバブルメディアに記憶されている付加画像情報を付加した状態で、前記画像通信機能の送信動作を行うことを特徴とする画像通信装置。
【請求項３】
画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、
前記リムーバブルメディアアクセス手段に前記リムーバブルメディアが装着されているとき、当該リムーバブルメディアに記憶されている個人認証情報を用いてユーザ認証動作を行い、当該ユーザ認証動作が正常に完了した場合には、当該リムーバブルメディアに記憶されている宛先情報を参照して、前記画像通信機能の送信動作を行うことを特徴とする画像通信装置。
【請求項４】
画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、
前記リムーバブルメディアアクセス手段に前記リムーバブルメディアが装着されているとき、当該リムーバブルメディアに記憶されている個人認証情報を用いてユーザ認証動作を行い、当該ユーザ認証動作が正常に完了した場合には、前記リムーバブルメディアアクセス手段に前記リムーバブルメディアが装着されているとき、当該リムーバブルメディアに記憶されている付加画像情報を付加した状態で、前記画像通信機能の送信動作を行うことを特徴とする画像通信装置。
【請求項５】
画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、
前記リムーバブルメディアアクセス手段に前記リムーバブルメディアが装着されているとき、当該リムーバブルメディアに記憶されている個人認証情報を用いてユーザ認証動作を行い、当該ユーザ認証動作が正常に完了した場合には、当該リムーバブルメディアに記憶されている宛先情報を参照するとともに、当該リムーバブルメディアに記憶されている付加画像情報を付加した状態で、前記画像通信機能の送信動作を行うことを特徴とする画像通信装置。
【発明の詳細な説明】
【技術分野】
【０００１】
本発明は、画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置に関する。
【背景技術】
【０００２】
従来より、スキャナ・プリンタ・ファクシミリ機能（画像形成機能・画像通信機能）を有する複合機や、ファクシミリ装置において、アドレス帳機能を有するものがある。これらの機器では、アドレス情報をメモリに記憶しており、利用者が送信先のキーワードを入力すると、それに応答した送信先電話番号が選択されて、ファクシミリ送信を行なう。
【０００３】
しかし、この機能を利用するには、アドレス情報のデータ登録作業は機器毎に行なわなければならなかった。
【０００４】
そこで、例えば、利用者の負担を軽減しようという発明で、パーソナルコンピュータの個人アドレス帳（送信先電話番号や電子メールアドレス等）を、ネットワーク経由で容易に機器に送信するようにしたものが提案されている（特許文献１参照）。
【特許文献１】特開２００２−４１２５０は、
【発明の開示】
【発明が解決しようとする課題】
【０００５】
しかしながら、アドレス情報を複合機やファクシミリ装置などの機器のメモリに保有するという点では何ら変わらない。これらの機器のメモリ容量は限られており、複数の利用者がそれぞれ個人アドレス帳データを大量に送信し、機器内のメモリに保有すれば、メモリオーバになってしまう。
【０００６】
本発明は、かかる実情に鑑みてなされたものであり、機器内のメモリにアドレス情報を保有してメモリオーバを引き起こすことなく、個人アドレス帳の情報を簡単に使用することができるようにした画像通信装置を提供すること目的とする。
【課題を解決するための手段】
【０００７】
本発明は、画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、前記リムーバブルメディアアクセス手段に前記リムーバブルメディアが装着されているとき、当該リムーバブルメディアに記憶されている宛先情報を参照して、前記画像通信機能の送信動作を行うようにしたものである。
【０００８】
また、画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、前記リムーバブルメディアアクセス手段に前記リムーバブルメディアが装着されているとき、当該リムーバブルメディアに記憶されている付加画像情報を付加した状態で、前記画像通信機能の送信動作を行うようにしたものである。
【０００９】
また、画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、前記リムーバブルメディアアクセス手段に前記リムーバブルメディアが装着されているとき、当該リムーバブルメディアに記憶されている個人認証情報を用いてユーザ認証動作を行い、当該ユーザ認証動作が正常に完了した場合には、当該リムーバブルメディアに記憶されている宛先情報を参照して、前記画像通信機能の送信動作を行うようにしたものである。
【００１０】
また、画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、前記リムーバブルメディアアクセス手段に前記リムーバブルメディアが装着されているとき、当該リムーバブルメディアに記憶されている個人認証情報を用いてユーザ認証動作を行い、当該ユーザ認証動作が正常に完了した場合には、前記リムーバブルメディアアクセス手段に前記リムーバブルメディアが装着されているとき、当該リムーバブルメディアに記憶されている付加画像情報を付加した状態で、前記画像通信機能の送信動作を行うようにしたものである。
【００１１】
また、画像形成機能、画像通信機能、および、交換可能な外部記憶媒体であるリムーバブルメディアを着脱して当該リムーバブルメディアの情報をアクセスするリムーバブルメディアアクセス手段を備えた画像通信装置において、前記リムーバブルメディアアクセス手段に前記リムーバブルメディアが装着されているとき、当該リムーバブルメディアに記憶されている個人認証情報を用いてユーザ認証動作を行い、当該ユーザ認証動作が正常に完了した場合には、当該リムーバブルメディアに記憶されている宛先情報を参照するとともに、当該リムーバブルメディアに記憶されている付加画像情報を付加した状態で、前記画像通信機能の送信動作を行うようにしたものである。
【発明の効果】
【００１２】
したがって、本発明によれば、リムーバブルメディア内の個人アドレス帳情報を読み出し、送信操作時に使用することにより、装置内のメモリにアドレス情報を保有しなくとも、個人アドレス帳の情報を簡単に使用することができるという効果を得る。
【発明を実施するための最良の形態】
【００１３】
以下、添付図面を参照しながら、本発明の実施の形態を詳細に説明する。
【００１４】
図１は、本発明の一実施例にかかる複合機の構成例を示している。この複合機は、ファクシミリ機能、スキャナ機能、および、複写機能を備えたものであり、また、外部記憶媒体としてリムーバブルメディアを用いることができる。
【００１５】
同図において、システム制御部１は、この複合機の各部の制御処理、スキャナ機能制御処理、複写機能制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、この複合機に固有な各種の情報を記憶するためのものであり、時計回路４は、現在時刻情報を出力するものである。
【００１６】
スキャナ５は、所定の解像度で原稿画像を読み取るためのものであり、プロッタ６は、所定の解像度で画像を記録出力するためのものであり、操作表示部７は、この複合機を操作するためのもので、各種の操作キー、および、各種の表示器からなる。
【００１７】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１８】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１９】
網制御装置１１は、この複合機をアナログ公衆回線網ＰＳＴＮに接続するためのものであり、自動発着信機能を備えている。
【００２０】
リムーバブルメディア１２は、例えば、ＣＤやＤＶＤなどの光学記憶媒体、あるいは、各種メモリカード等のメモリカード媒体であり、リムーバブルメディア駆動装置１３は、リムーバブルメディア１２に対して適宜にデータアクセス（読み出しおよび書き込み）を行うためのものであり、リムーバブルメディア制御部１４は、リムーバブルメディア駆動装置１３の動作を制御するためのものである。
【００２１】
ここで、メモリカード媒体としては、複数メーカより独自規格のものが提供されているが、リムーバブルメディア駆動装置１３およびリムーバブルメディア制御部１４は、それらの複数種類のメモリカード媒体をアクセスできるようにすることが好ましい。
【００２２】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、リムーバブルメディア制御部１４は、内部バス１５に接続されており、これらの各要素間でのデータのやりとりは、主としてこの内部バス１５を介して行われている。
【００２３】
また、網制御装置１１とグループ３ファクシミリモデム１０との間のデータのやりとりは、直接行なわれている。
【００２４】
また、リムーバブルメディア１２には、例えば、図２に示すように、ユーザ個人別の各種情報が記憶される。この場合、１つ以上の宛先情報が登録されたアドレス帳テーブル、送信原稿の先頭ページに付加する付加情報である送付状情報、および、ユーザ認証に用いる個人認証情報が記憶されている。
【００２５】
また、これ以外にも、例えば、複合機のスキャナ機能を用いて読み取られた画像データを、リムーバブルメディア１２に格納することができる。
【００２６】
図３は、操作表示部７の一例を示している。
【００２７】
同図において、スタートキー７ａは、この複合機の各種動作の開始を指令入力するためのものであり、キャンセルキー７ｂは、この複合機の動作の停止を指令入力するためのものであり、テンキー７ｃは、電話番号などの数字（数値）情報を入力するためのものであり、リセットキー７ｄは、テンキー７ｃの入力値をクリアするためのものである。
【００２８】
アプリケーションキー７ｅは、この複合機の各種機能を指定するためのものであり、液晶表示器７ｆは、この複合機の操作ガイダンスの表示や、入力情報のフィードバック表示などの種々のメッセージを表示するためのものであり、その表面には、タッチパネル（図示略）が付設されていて、ソフトキーボードを構成できるようになっている。
【００２９】
さて、本実施例では、リムーバブルメディア駆動装置１３にリムーバブルメディア１２が装着されていて、ユーザによりファクシミリ機能が選択された場合、リムーバブルメディア１２に記憶されているアドレス帳テーブルを読み出して、例えば、図４に示すような操作画面を表示し、ユーザがリムーバブルメディア１２に記憶されているアドレス帳テーブルの内容を利用して宛先を指定できるようにする。
【００３０】
このようにして、リムーバブルメディア１２に記憶されているアドレス帳テーブルを用いて宛先を指定することができるので、アドレス帳テーブルに個人別のアドレス帳の情報を登録することで、ユーザの使い勝手が向上する。
【００３１】
また、ユーザ別のアドレス帳テーブルを装置本体に備える必要がないので、装置コストを低減することができる。
【００３２】
また、リムーバブルメディア駆動装置１３にリムーバブルメディア１２が装着されていて、ユーザによりファクシミリ機能が選択された場合、リムーバブルメディア１２に記憶されている送付状情報を読み出して、例えば、図５に示すように、送信原稿の第１ページとして送信する。
【００３３】
このようにして、リムーバブルメディア１２に記憶されている送付状情報を送付状として使用することができるので、送付状情報にユーザ別の情報、例えば、送り主の表示情報や宛先の表示情報を任意に設定することができ、ユーザの使い勝手が向上する。
【００３４】
また、リムーバブルメディア駆動装置１３にリムーバブルメディア１２が装着されている場合、リムーバブルメディア１２に記憶されている個人認証情報を読み出して、例えば、図６に示すように、認証要求画面を表示して、ユーザに暗証番号を入力させ、個人認証情報と照合することで、個人認証を行うようにする。
【００３５】
このようにして、リムーバブルメディア１２に記憶している個人認証情報を用いて、ユーザ認証を行うようにしているので、装置本体に個人認証情報を登録する必要がなく、装置コストを低減することができる。
【００３６】
なお、個人認証情報としては、暗証番号以外の生体認証情報を適用することができる。例えば、指紋、声紋、瞳の虹彩などを適用する場合、それらを検出するためのセンサを設ける必要がある。また、ＲＦＩＤを利用した個人認証を適用することもできる。その場合、リムーバブルメディア１２にはＲＦＩＤに登録されるＩＤをユーザ認証情報を保存しておき、ＲＦＩＤから検出されたＩＤと比較することで、個人認証を行う。
【００３７】
図７は、リムーバブルメディア１２からアドレス帳テーブルを読み出してユーザに提供する際の処理の一例を示している。
【００３８】
装置機能としてファクシミリ機能が選択されている場合（判断１０１の結果がＹＥＳ）で、リムーバブルメディア１２が装着されているとき（判断１０２の結果がＹＥＳ）、リムーバブルメディア１２からアドレス帳テーブルを読み出し（処理１０３）、読み出したアドレス帳テーブルの内容を外部アドレス帳として表示し（処理１０４）、それ以降の処理を行う。
【００３９】
また、判断１０２の結果がＮＯになるときには、パラメータメモリ３に記憶されているアドレス帳テーブル（図示略）を読み出し（処理１０５）、読み出したアドレス帳テーブルの内容を本体アドレス帳として表示し（処理１０６）、それ以降の処理を行う。
【００４０】
図８は、リムーバブルメディア１２から送付状情報を読み出して送信する場合の処理の一例を示している。
【００４１】
装置機能としてファクシミリ機能が選択されている場合（判断２０１の結果がＹＥＳ）で、リムーバブルメディア１２が装着されているとき（判断２０２の結果がＹＥＳ）、リムーバブルメディア１２から送付状情報を読み出し（処理２０３）、読み出した送付状情報の原稿を第１ページに付加して送信動作を行う（処理２０４）。
【００４２】
また、判断２０２の結果がＮＯになるときには、通常の送信動作を行う（処理２０５）。
【００４３】
図９は、リムーバブルメディア１２が装着されている場合のファクシミリ送信動作の一例を示している。
【００４４】
装置機能としてファクシミリ機能が選択されている場合（判断３０１の結果がＹＥＳ）で、リムーバブルメディア１２が装着されているとき（判断３０２の結果がＹＥＳ）、リムーバブルメディア１２から個人認証情報を読み出し（処理３０４）、ユーザに認証画面を表示して、ユーザが必要な情報を入力するまで待つ（処理３０４、判断３０５のＮＯループ）。
【００４５】
ユーザの入力が終了して、判断３０５の結果がＹＥＳになるときには、入力された暗証番号と、個人認証情報の暗証番号とを比較して、一致するかどうかを調べる（判断３０６）。
【００４６】
判断３０６の結果がＹＥＳになるときには、リムーバブルメディア１２からアドレス帳テーブルを読み出し（処理３０７）、読み出したアドレス帳テーブルの内容を外部アドレス帳として表示してユーザに宛先を選択させる（処理３０８）。
【００４７】
次いで、リムーバブルメディア１２から送付状情報を読み出し（処理３０９）、処理３０８で選択された宛先に対して、読み出した送付状情報の原稿を第１ページに付加した送信動作を行う（処理３１０）。
【００４８】
また、判断３０６の結果がＮＯになるとき、および、判断３０２の結果がＮＯになるときには、パラメータメモリ３に記憶されているアドレス帳テーブル（図示略）を読み出し（処理３１１）、読み出したアドレス帳テーブルの内容を本体アドレス帳として表示して宛先を選択させる（処理３１２）。
【００４９】
次いで、処理３１２で選択された宛先に対して、送信動作を行う（処理３１３）。
【００５０】
なお、上述した実施例では、通信機能としてファクシミリ通信機能を備えている場合について説明しているが、通信機能として、例えば、スキャン・ツー・イーメール機能を備えている場合についても、本発明を同様にして適用することができる。
【００５１】
また、本発明は、上述した実施例の構成に限らず、画像通信機能を備えている機器について、同様にして適用することができる。
【図面の簡単な説明】
【００５２】
【図１】本発明の一実施例にかかる複合機の構成例を示したブロック図。
【図２】リムーバブルメディア１２に記憶される情報の一例を示した概略図。
【図３】操作表示部７の一例を示した概略図。
【図４】外部アドレス帳の内容を表示してユーザに宛先を選択させる画面の一例を示した概略図。
【図５】送付状を付加した送信原稿の送信態様の一例を示した概略図。
【図６】ユーザ認証のために暗証番号の入力を要求する画面の一例を示した概略図。
【図７】リムーバブルメディア１２からアドレス帳テーブルを読み出してユーザに提供する際の処理の一例を示したフローチャート。
【図８】リムーバブルメディア１２から送付状情報を読み出して送信する場合の処理の一例を示したフローチャート。
【図９】リムーバブルメディア１２が装着されている場合のファクシミリ送信動作の一例を示したフローチャート。
【符号の説明】
【００５３】
１  システム制御部
２  システムメモリ
３  パラメータメモリ
１２  リムーバブルメディア
１３  リムーバブルメディア駆動装置
１４  リムーバブルメディア制御部
【図１】
2006352228.tif 000003
【図２】
2006352228.tif 000004
【図３】
2006352228.tif 000005
【図４】
2006352228.tif 000006
【図５】
2006352228.tif 000007
【図６】
2006352228.tif 000008
【図７】
2006352228.tif 000009
【図８】
2006352228.tif 000010
【図９】
2006352228.tif 000011